(57)【要約】【課題】  鳥の巣等の撤去作業時に地絡事故の防止を図りながら、撤去場所の清掃を短時間で確実に行える間接活線用先端工具を提供する。【解決手段】  間接活線用先端工具１を、ゴミや埃を付着させたり履き取ったりする天然繊維又は合成繊維からなるモップ本体３と、このモップ本体３を保持する合成樹脂から成るモップ保持具４と、このモップ保持具４の基端に設けられた合成樹脂からなるソケット連結部１１とから構成する。鳥の巣の本体を取り除いた後に、巣の残骸を、共用操作棒１をソケット連結部１１に装着して、共用操作棒を操作して、モップ本体３により拭いたり、叩き落したりする。モップ保持具４は、モップ本体３に着脱自在にするとよい。【選択図】      図１
2014110723.tif 000002
【特許請求の範囲】
【請求項１】
ゴミや埃を付着させたり履き取ったりする天然繊維又は合成繊維からなるモップ本体と、
このモップ本体を保持する絶縁素材で構成されたモップ保持具と、
このモップ保持具の基端に設けられた絶縁素材で構成されたソケット連結部とより成ることを特徴とする間接活線用先端工具。
【請求項２】
前記モップ保持具は前記モップ本体に着脱自在であることを特徴とする請求項１記載の間接活線用先端工具。
【請求項３】
前記モップ本体の上面に取付挿入孔を形成し、モップ保持具に前記取付挿入孔に挿入する差込部を設け、前記差込部を前記取付挿入孔に着脱自在に挿入することを特徴とする請求項２記載の間接活線用先端工具。
【請求項４】
前記モップ保持具は湾曲していることを特徴とする請求項１乃至３のいずれかに記載の間接活線用先端工具。
【発明の詳細な説明】
【技術分野】
【０００１】
この発明は、鳥その他の動物が電柱、鉄塔等に作った巣を撤去するため等に利用可能な間接活線用先端工具に関する。
【背景技術】
【０００２】
電柱の上部には、電線等を支持する腕金等の支持金物が設けられており、この支持金物には、例えばカラス等の鳥によって巣が作られる。これらの巣は、ハンガーや針金等の導電性物を、枯れ枝等とともに積み上げて作られており、したがって、導電性物が電線に接触すると、地絡や短絡事故を誘発する恐れがある。
このため、腕金等に作られた巣は速やかに撤去することが望まれ、従来においては、例えば、特許文献１に示されるように、差込操作によって巣に差込可能な長尺状の差込部を設け、この差込部に、巣から抜け外れないようにするための抜け止め手段を設けた営巣撤去具を用いて巣を撤去したり、間接活線作業に用いられる絶縁ヤットコやクイック等のホットスティックを用いて営巣を撤去したりするようにしている。
【先行技術文献】
【特許文献】
【０００３】
【特許文献１】特開２００９−８２１１２号公報
【発明の概要】
【発明が解決しようとする課題】
【０００４】
しかし、上記営巣除去具を用いて巣本体を撤去しても、巣の残骸である枝や粉塵等が腕金、開閉器、避雷器等の部分に多く残ってしまう。このため、従来においては、図７に示されるように、絶縁ヤットコやクイック等のホットスティック５１で腕金５２等に残った巣の残骸５３を１つ１つ取り除く作業が必要となり、また、ホットスティックの先端部分の角度は限定されていることから、態勢を調整して摘む角度を調整する必要があり、長時間の作業や不安定な態勢での作業を強いられるものであった。
しかも、営巣場所である腕金等は、高圧電線に近接しているため、巣の撤去作業時に、ホットスティック先端の金属部分が高圧電線と腕金とに同時に接触してしまうと、地絡事故が発生する危険もある。
【０００５】
本発明は、係る事情に鑑みてなされたものであり、地絡事故の防止を図りながら、撤去場所の清掃を短時間で確実に行うことが可能な間接活線用先端工具を提供することを主たる課題としている。
【課題を解決するための手段】
【０００６】
上記課題を達成するために、本発明に係る間接活線用先端工具は、ゴミや埃を付着させたり履き取ったりする天然繊維又は合成繊維からなるモップ本体と、このモップ本体を保持する絶縁素材で構成されたモップ保持具と、このモップ保持具の基端に設けられた絶縁素材で構成されたソケット連結部とより成ることを特徴としている。
【０００７】
したがって、共用操作棒の先端の連結部に、モップ保持具の基端に備えたソケット連結部を被嵌することで、両者を連結し、共用操作棒を操作して、モップ本体により巣の残骸が散乱している腕金上を履き取ったり、叩き落したりすることで迅速に作業を行うことが可能となる。
また、モップ本体とモップ保持具は、共に絶縁素材で構成されているので、巣の撤去作業時に高圧電線に仮に触れたとしても、地絡事故を防ぐことが可能となる。
【０００８】
ここで、前記モップ保持具は、前記モップ本体に着脱自在とすることが好ましい。例えば、モップ本体の上面に取付挿入孔を形成し、モップ保持具に前記取付挿入孔に挿入する差込部を設け、前記差込部を前記取付挿入孔に着脱自在に挿入することでモップ保持具をモップ本体に着脱自在に取り付けるようにするとよい。このような構成とすることで、モップ本体が汚れたときに交換することが可能となる。
【０００９】
また、モップ保持具は、直線状に形成されるものであってもよいが、湾曲させるようにしてもよい。このような構成とすることで、モップ本体による作業を角度をつけて行なうことができ、作業がしやすくなると共に障害物を避けながら作業を行うことが可能となる。
【発明の効果】
【００１０】
以上のように、本発明によれば、間接活線用先端工具を、モップ本体と、このモップ本体を保持する絶縁素材で構成されたモップ保持具と、このモップ保持具の基端に設けられた絶縁素材で構成されたソケット連結部とによって構成したので、営巣場所から巣を撤去した後の残骸を、ソケット連結部に連結される共用操作棒を操作することによってモップ本体で履き取ったり、叩き落としたりして撤去することが可能となり、迅速且つ確実に撤去作業を行うことが可能となる。
また、モップ保持具とソケット連結部とは絶縁素材で構成されているので、巣の撤去作業時に、モップ保持具やソケット連結部が高圧電線と腕金とに同時に接触した場合でも、地絡事故の発生を防ぐことが可能となる。
【００１１】
なお、モップ保持具をモップ本体に対して着脱自在とすることで、モップ本体が汚れたときに交換することが可能となり、また、モップ保持具を湾曲させることで、モップを角度をつけて操作することができ、また、障害物を避けて作業を行うことが可能となる。
【図面の簡単な説明】
【００１２】
【図１】図１は、本発明に係る間接活線用先端工具の構成例を示す平面図である。
【図２】図２は、同上の間接活線用先端工具のモップ本体とモップ保持部とを分離させた状態を示す図であり、（ａ）はその側面図、（ｂ）はその平面図である。
【図３】図３は、鳥の巣を、絶縁ヤットコを用いて撤去する作業を説明する説明図である。
【図４】図４は、鳥の巣の残骸を本発明に係る間接活線用先端工具を用いて清掃する作業を説明する説明図であり、（ａ）は履き取る作業を、（ｂ）は叩き落とす作業をそれぞれ示す。
【図５】図５は、本発明に係る間接活線用先端工具の他の構成例を示す平面図である。
【図６】図６は、同上の間接活線用先端工具のモップ本体とモップ保持部とを分離させた状態を示す図であり、（ａ）はその側面図、（ｂ）はその平面図である。
【図７】図７は、鳥の巣の残骸を絶縁ヤットコを用いて取り除く従来の作業を説明する説明図である。
【発明を実施するための形態】
【実施例１】
【００１３】
図１において、間接活線用先端工具１は、モップ本体３と、このモップ本体３を保持するモップ保持具４とを有して構成されている。
モップ本体３は、天然繊維、合成繊維からなる絶縁体の紐状部材を多数束ねて形成され、全体として平面視略楕円形状に形成されている。このモップ本体の上面には、図２にも示されるように、長手方向に延設された２本の取付挿入孔７，７が一体に形成され、この取付挿入孔７，７に後述するモップ保持具４の２本の差込部９，９が挿入されるようになっている。この取付挿入孔７，７は、例えば、布で筒状に形成され、モップ本体に縫い付けられている。
モップ保持具４は、絶縁性の合成樹脂より筒状に形成された本体部８と、その一端から軸方向に延びるように延設された対をなす２本の並設された差込部９，９とにより構成されている。この差込部９，９は、モップ本体３の取付挿入孔７，７と略等しい長さに形成され、取付挿入孔７に挿入することでモップ本体３を保持するようになっている。
なお、対をなす差込部９は、互いに近接する方向に付勢力を付加しておき、取付挿入孔７に挿入した状態において、この取付挿入孔７が形成されている部分を差込部９、９で挟持してモップ本体３の脱落を防止するようにしたり、差込部９の側面に返しを設けて取付挿入孔からの抜けを防止するようにしてもよい。また、図示されていないが、差込部９を取付挿入孔７に挿入した状態が離脱しないように紐で縛るようにしてもよい。
【００１４】
モップ保持具４の本体部８の基端には、合成樹脂から成るソケット連結部１１が設けられている。このソケット連結部１１は、下方が開口する円筒カップ状の外形を有し、その周側面の対向する部位（１８０度位相がずれた位置）にはそれぞれ略Ｔ字型を有し、両端に係止部１３，１３を備えた案内溝１２，１２が形成されている。このモップ保持具４のソケット連結部１１には、共用操作棒１６の連結金具１８が連結される。
【００１５】
なお、共用操作棒１６は、それ自体周知のもので、細長い棒状体１７で構成され、この棒状体１７の先端部に間接活線用先端工具のソケット連結部１１と連結するための連結金具１８を備えている。連結金具１８は、略円柱状の外形を有し、その先端面には、軸方向に進退可能であり、内蔵されたバネによって突出する方向に付勢された可動突部１９を備え、その側面には、１８０度位相をずらした位置に、係止ピン２０，２０がそれぞれ突設されている。
【００１６】
以上の構成において、間接活線用先端工具１の使用時には、ソケット連結部１１に共用操作棒１６の連結金具１８を挿入し、係止ピン２０，２０を案内溝１２，１２内に挿入し、係止部１３，１３に係止させて間接活線用先端工具１を共用操作棒１６の先端に装着する。
【００１７】
そして、例えば、図３に示すように、腕金２３上にある鳥の巣２４を撤去する場合には、先ず、絶縁ヤットコ２５等を用いて、巣２４の本体部分を摘まんで取り除き、次に、間接活線用先端工具１を取り付けた共用操作棒１６を手で持ち、図４（ａ）に示されるように、腕金２３，２３上の巣の残骸２６を履き取ったり、図４（ｂ）に示されるように、残骸２６を叩き落したりする。このため、巣２４の残骸を跡形なく短時間で、且つ、確実に除去することが可能となる。
また、作業中に高圧電線２７と接触した場合でも、モップ保持具４やソケット連結部１１は絶縁性の合成樹脂で構成されているため、地絡事故の発生を防ぐことが可能となる。
【００１８】
図５及び図６において、間接活線用先端工具１のモップ本体３やモップ保持具４の形状を異にする変形例が示されている。この例において、モップ本体の上面に形成される取付挿入孔７は、長手方向に延設された幅広の１本の袋状に形成されている。また、モップ保持具４の本体部８の形状が湾曲して形成され、差込部９がソケット連結部１１の軸心からオフセットした位置に配置されるようになっている。また、差込部９は、本体部８から軸方向に延びるように延設された１本の幅広の帯状に形成されている。なお、他の構成は、前記実施例と同一のため、同一箇所に同一符号を付して説明を省略する。
【００１９】
このような構成においては、履き取る場所に対して角度を付して共用操作棒１６の操作が可能となるので、作業がしやすくなると共に障害物を避けながら作業を行うことも可能となる。
【符号の説明】
【００２０】
１      間接活線用先端工具
２      モップ
３      モップ本体
４      モップ保持具
７      取付挿入孔
８      本体部
９      差し込み部
１１    ソケット連結部
１６    共用操作棒
１８    連結金具
２３    腕金
２４    巣
２５    ヤットコ
２６    残骸
【図１】
2014110723.tif 000003
【図２】
2014110723.tif 000004
【図３】
2014110723.tif 000005
【図４】
2014110723.tif 000006
【図５】
2014110723.tif 000007
【図６】
2014110723.tif 000008
【図７】
2014110723.tif 000009
【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
ゴミや埃を付着させたり履き取ったりする天然繊維又は合成繊維からなるモップ本体と、
このモップ本体を保持する絶縁素材で構成されたモップ保持具と、
このモップ保持具の基端に設けられた絶縁素材で構成されると共に共用操作棒の先端部に着脱自在に連結するソケット連結部とより成り、
前記モップ本体の上面に取付挿入孔を形成すると共に前記モップ保持具に前記取付挿入孔に挿入する差込部を設けて前記差込部を前記取付挿入孔に着脱自在に挿入することで前記モップ保持具を前記モップ本体に着脱自在とし、また、前記モップ保持具と前記ソケット連結部とを一体に形成したことを特徴とする間接活線用先端工具。
【請求項２】
前記モップ本体の上面に、２本の取付挿入孔を形成し、前記モップ保持具に前記２本の取付挿入孔に着脱自在に挿入する対をなす２本の差込部を設け、前記対をなす差込部は、互いに近接する方向に付勢力が付加されていることを特徴とする請求項１記載の間接活線用先端工具。
【請求項３】
前記モップ保持具は湾曲していることを特徴とする請求項１又は２に記載の間接活線用先端工具。
【手続補正２】
【補正対象書類名】明細書
【補正対象項目名】０００６
【補正方法】変更
【補正の内容】
【０００６】
上記課題を達成するために、本発明に係る間接活線用先端工具は、ゴミや埃を付着させたり履き取ったりする天然繊維又は合成繊維からなるモップ本体と、このモップ本体を保持する絶縁素材で構成されたモップ保持具と、このモップ保持具の基端に設けられた絶縁素材で構成されると共に共用操作棒の先端部に着脱自在に連結するソケット連結部とより成り、前記モップ本体の上面に取付挿入孔を形成すると共に前記モップ保持具に前記取付挿入孔に挿入する差込部を設けて前記差込部を前記取付挿入孔に着脱自在に挿入することで前記モップ保持具を前記モップ本体に着脱自在とし、また、前記モップ保持具と前記ソケット連結部とを一体に形成したことを特徴としている。
【手続補正３】
【補正対象書類名】明細書
【補正対象項目名】０００８
【補正方法】変更
【補正の内容】
【０００８】
さらに、モップ本体の上面に取付挿入孔を形成し、モップ保持具に前記取付挿入孔に挿入する差込部を設け、前記差込部を前記取付挿入孔に着脱自在に挿入することでモップ保持具をモップ本体に着脱自在に取り付けるようにしたので、モップ本体が汚れたときに交換することが可能となる。
なお、前記モップ本体の上面に、２本の取付挿入孔を形成し、前記モップ保持具に前記２本の取付挿入孔に着脱自在に挿入する対をなす２本の差込部を設けた構成においては、前記対をなす差込部は、互いに近接する方向に付勢力が付加されるようにしてもよい。このような構成とすることで、取付挿入孔が形成されている部分を対をなす差込部で挟持してモップ本体の脱落を防止することが可能となる。
【手続補正４】
【補正対象書類名】明細書
【補正対象項目名】００１１
【補正方法】変更
【補正の内容】
【００１１】
なお、モップ保持具をモップ本体に対して着脱自在としているので、モップ本体が汚れたときに交換することが可能となり、また、モップ保持具を湾曲させることで、モップを角度をつけて操作することができ、また、障害物を避けて作業を行うことが可能となる。